(57)【要約】      （修正有）【課題】アクリル糸を編んで製造された洗浄具において、編むのが容易で製造コストを抑えられ、食器などの器の縁や、手の指が届きにくい深い器の底部を洗うのが、容易な洗浄具を提供する。【解決手段】アクリル糸を編んで袋状に製造される。手の親指１０が入る短い袋部６と、残りの指１２を入れる長い袋部８とが、連続部１４で連続する。両袋部は、ともに四角形状で、生地が二重に編まれている。長い袋部８の長さは、残りの指１２の中指の長さよりも長く、長い袋部８の幅は、残りの指１２の２本、３本、又は４本が入る幅とする。【選択図】図1
0003133431.tif 000002
【実用新案登録請求の範囲】
【請求項１】
アクリル糸を編んで袋状に製造され、手の親指が入る短い袋部と、残りの指を入れる長い袋部と、前記短い袋部と前記長い袋部とが並んだ状態で隣り合った各入口縁部が連続する連続部と、を有することを特徴とするアクリル糸製洗浄具。
【請求項２】
前記長い袋部及び短い袋部は、ともに四角形状で、生地が二重に編まれており、前記長い袋部の長さは、前記残りの指の中指の長さよりも長く、前記長い袋部の幅は、前記残りの指の２本、３本、又は４本が入る幅とすることを特徴とする請求項１に記載のアクリル糸製洗浄具。
【考案の詳細な説明】
【技術分野】
【０００１】
この考案は、アクリル糸を用いて製造された洗浄具の構造に関する。
【背景技術】
【０００２】
アクリル糸を用いて製造された洗浄具は、アクリル糸の性質により、洗剤を全くつけなくて水だけでも、あるいは少量の洗剤と水でも、洗浄力が優れるという特徴がある。
特許文献１には、アクリル糸を用いて手袋状となったものが記載される。また、特許文献２には、３本指の手袋状になったものが記載される。特許文献３には、４本の指だけが入る袋状になったものが記載される。
【特許文献１】特開2003-342814
【特許文献２】実用新案登録3087376
【特許文献３】特開2001-292943
【考案の開示】
【考案が解決しようとする課題】
【０００３】
しかしながら、特許文献１や特許文献２のような手袋の形状に編むのは、面倒であり、製造コストを高くしてしまう。
また、特許文献３のように、４本の指だけが入るシンプルな袋状にすると、編むのは容易であるが、食器などの器の縁を洗うのが不便であり、さらには手の指が届きにくい深い器の底部を洗うのが不便であった。
【０００４】
この考案は、以上の問題点を解決するために、編むのが容易で製造コストを抑えられ、食器などの器の縁や、手の指が届きにくい深い器の底部を洗うのが、容易なアクリル糸製洗浄具を提供することを目的とする。
【課題を解決するための手段】
【０００５】
以上の課題を解決するために、第一考案は、アクリル糸を編んで袋状に製造され、手の親指が入る短い袋部と、残りの指を入れる長い袋部と、前記短い袋部と前記長い袋部とが並んだ状態で隣り合った各入口縁部が連続する連続部と、を有することを特徴とするアクリル糸製洗浄具である。
第二考案は、更に、前記長い袋部及び短い袋部は、ともに四角形状で、生地が二重に編まれており、前記長い袋部の長さは、前記残りの指の中指の長さよりも長く、前記長い袋部の幅は、前記残りの指の２本、３本、又は４本が入る幅とすることを特徴とするアクリル糸製洗浄具である。
【考案の効果】
【０００６】
第一、又は第二考案によれば、アクリル糸を編んで袋状にして製造できるので、編むのが容易で製造コストを抑えられる。また、手の親指を入れた短い袋部を器の外に位置させ、残りの指を入れた長い袋部を器の内に位置させれば、両袋部の連続部が器の縁に位置し、よって器の内外を洗浄すると同時に縁を容易に洗浄できる。
【０００７】
第二考案によれば、更に、洗浄具は親指と残りの指とでしっかりと保持できるので、長い袋部の長さを中指の長さよりも長くしても、長い袋部の先端が安定し、よって手の指が届きにくい深い器の底部を洗うのが容易である。また、長い袋部及び短い袋部は、ともに四角形状であることから、四角形状の角部が、器の底部の隅々に接して優れた洗浄力を発揮する。
更に、生地が二重に編まれており、洗剤や水を十分に蓄えることができ、洗浄力がより優れる。長い袋部の幅を、指の２本が入る幅とすれば、細い器も容易に洗浄できる。また、同じく、３本、又は４本が入る幅とすることで、器の細さに応じた洗浄具を提供できる。  
【考案を実施するための最良の形態】
【０００８】
この考案の実施形態に係る洗浄具を、図１及び図２に示す。
この洗浄具２は、アクリル糸４を編んで袋状に製造される。
アクリル糸４として使用される毛糸は、アクリル１００％の並太毛糸を使用した。使用針は棒編みで７〜８号用、カギ針で５／０号用、また、標準ゲージは１５〜１６目２２〜２３段、カギ針１６目７段用、などを使用した。編み方は裏メリヤス編みが表になるような袋編み、または、かのこ編みが表になるような袋編みなどが採用できる。
そして、短い袋部６と長い袋部８とが、連続して編まれる。短い袋部６には、手の親指１０が入る。長い袋部８には、残りの指１２を入れる。この袋の大きさは、使用する人の手の大きさにより、Ｓサイズ、Ｍサイズ、Ｌサイズなどが準備されるのが望ましい。連続部１４は、短い袋部６と長い袋部８とが並んだ状態で隣り合った各入口縁部１６が、縁部の半周ほどで連続する。
【０００９】
また、長い袋部及び短い袋部６は、ともに四角形状である。各袋部の生地は、アクリル糸４により二重に編まれている。長い袋部８の長さは、残りの指１２の中指の長さよりも長くして、深い器１８の底部に十分に届くようにする。長い袋部８の幅は、器１８の細さに応じて、残りの指１２の２本、３本、又は４本が入る幅とする。したがって、たとえば、細い器用、中程度の器用、広い器用などと、複数の幅の洗浄具２を用意するのが望ましい。
【００１０】
「実施形態の効果」
この実施形態に係る洗浄具２は、アクリル糸４を編んで袋状に製造されるので、洗剤を全くつけなくて水だけでも、あるいは少量の洗剤と水でも、洗浄力が優れる。さらに、冷たい水ではなく、ぬるま湯を用いるのがより望ましい。
アクリル糸４を編んで、単に四角い袋状にして製造できるので、編むのが容易で製造コストを抑えられる。
【００１１】
また、洗浄作業においては、手の親指１０を入れた短い袋部６を器１８の外に位置させ、残りの指１２を入れた長い袋部８を器１８の内に位置させる。その際、両袋部の連続部１４が器１８の縁２０に位置することになり、よって器１８の内外を洗浄すると同時に、汚れ易い縁２０を十分に、容易に洗浄できる。
【００１２】
更に、洗浄具２は親指１０と残りの指１２とで挟んで、しっかりと保持できる。このため、長い袋部８の長さを中指の長さよりも長くしても、長い袋部８の先端が安定する。よって、手の指１２が届きにくい深い器１８の底部２２を洗う作業が安定し、容易になる。また、長い袋部及び短い袋部６は、ともに四角形状であることから、四角形状の尖がった角部が、器１８の底部２２の隅々に接して優れた洗浄力を発揮する。
【００１３】
更に、生地が二重に編まれており、一重に比べ、洗剤や水を十分に蓄えることができ、洗浄力がより優れる。長い袋部８の幅を、指１２の２本（人差し指１２と中指）が入る幅とすれば、細い器１８も容易に洗浄できる。このとき、薬指と小指は器１８の外に位置させる。また、同じく、３本、又は４本が入る幅とすることで、器１８の細さに応じた洗浄具２を提供できる。
【００１４】
「他の実施形態」
以上の実施形態では、長い袋部及び短い袋部６は、ともに四角形状であったが、他の実施形態では、端部が半円形とし、洗浄具２全体で略楕円形状とすることも可能である。
また、以上の実施形態では、袋部は生地が二重であったが、他の実施形態では、一重、あるいは三重であってもよい。
【実施例】
【００１５】
実施例として、アクリル１００％の並太の毛糸（参考使用針：かぎ針５号用・標準ゲージ棒 編み１５目２２段用））一個、約２０グラム分を用いた。編み方は、表に裏メリヤス編みとし、形状は、筒編みで１８目（輪の状態で、平らにすると幅が７．５センチ位）で、長さが、６６段位とした。両端をかがって、表面が裏編みに なるようにする。両端を、一方が１２.５センチ、他方が７センチで、折り返し手袋のように親指と他の手が入るような長方形とした。出来上がりの縦長が１９．５センチ・横長が７．５センチの四角い状態で完成した。
【００１６】
（実施例の効果）
食器などをぬるま湯で洗い出すと、とてもふんわり柔らかく伸び、にもかかわらず淵がシッカリ止まっているので形は崩れない。形状が使う手の動きに合わせて伸びるので、取っ手の裏や普通のスポンジでは届かない細々した所まで指でいじれるのでスッキリ洗える。また、柔らかいので、水はねせず、食器などの細かいところが洗いやすい。
また、この洗浄具は、一度汚れても、汚れがすぐに取れる。すなわち、柔らかさがあるので、すなわち繊維間の隙間が充分にあるので、使用後に、この洗浄具の汚れた部分を少ない洗剤で揉み洗いすれば、スッキリと元のように綺麗になる。
【図面の簡単な説明】
【００１７】
【図１】この考案の一実施形態に係るアクリル糸製洗浄具の使用状態を示すもので、（Ａ）は使用状態の全体斜視図、（Ｂ）は（Ａ）のアクリル糸製洗浄具だけの斜視図である。
【図２】図１のアクリル糸製洗浄具の全体を伸ばして示す斜視図である。
【符号の説明】
【００１８】
２…洗浄具、４…アクリル糸、６…短い袋部、８…長い袋部、１０…親指、１２…残りの指、１４…連続部、１６…入口縁部、１８…器、２０・・・縁、２２・・・底部。
【図１】
0003133431.tif 000003
【図２】
0003133431.tif 000004